(57)【要約】【課題】本発明は、光源として複数並べて使用する場合に、各々の配置によることなく発光面における輝度が均質な照明ユニットを提供する。【解決手段】照明ユニット１０は、冷陰極蛍光ランプ１１とインバータ１２とベース１３とカバー１４とを備える。冷陰極蛍光ランプ１１は、折り返された屈曲部１１１をガラス管１１０の中間部に少なくとも１つ有し、このガラス管１１０の端部１１２が一方に揃えられている。インバータ１２は、冷陰極蛍光ランプ１１で囲われる内側に配置される。ベース１３は、冷陰極蛍光ランプ１１及びインバータ１２を保持する。カバー１４は、透明部材で形成され、冷陰極蛍光ランプ１１及びインバータ１２を覆ってベース１３に固定される。【選択図】      図１
2008204658.tif 000002
【特許請求の範囲】
【請求項１】
照明装置の内部に複数並べて配置される照明ユニットであって、
折り返された屈曲部をガラス管の中間部に少なくとも１つ有しこのガラス管の端部が一方に揃う冷陰極蛍光ランプと、
前記冷陰極蛍光ランプで囲われる内側に配置されるインバータと、
前記照明装置の内側に固定され前記冷陰極蛍光ランプ及び前記インバータを保持するベースと、
透明部材で形成され前記冷陰極蛍光ランプ及び前記インバータを覆って前記ベースに固定されるカバーと
を備えることを特徴とする照明ユニット。
【請求項２】
前記インバータは、前記冷陰極蛍光ランプの端部寄りに配置されることを特徴とする請求項１に記載の照明ユニット。
【請求項３】
前記ベースは、前記照明装置の内側に固定するための締結具が前記カバー側から装着される固定部を有し、
前記カバーは、前記締結具を操作する工具を挿入できる挿通穴を有する
ことを特徴とする請求項１に記載の照明ユニット。
【請求項４】
前記ベース及び前記カバーは、前記固定部の周辺において互いに連結固定されることを特徴とする請求項３に記載の照明ユニット。
【請求項５】
前記ベースは、前記カバーに向かって延びる支柱を前記固定部の周辺に有し、
前記カバーは、前記支柱に対応する嵌合部を有する
ことを特徴とする請求項３に記載の照明ユニット。
【請求項６】
前記冷陰極蛍光ランプは、前記端部から前記屈曲部までの区間が平行に配置され、
前記ベース及び前記カバーは、前記冷陰極蛍光ランプの前記端部と前記屈曲部寄りの部分とにそれぞれ装着される弾性支持部材を互いに挟持する
ことを特徴とする請求項１に記載の照明ユニット。
【請求項７】
前記ベースは、前記インバータの回路基板を位置決め支持する座部を有し、
前記カバーは、前記座部に納まる前記回路基板を押さえ込む突起を有している
ことを特徴とする請求項１に記載の照明ユニット。
【発明の詳細な説明】
【技術分野】
【０００１】
本発明は、複数の光源を並べて配置し投光面全体を均質に発光させる照明装置に組み込まれる照明ユニットに関する。
【背景技術】
【０００２】
照明装置は、多くの場合、天井に配置される。照明装置の光源には、棒状や円環状の熱陰極蛍光ランプが用いられる。同じ条件で使用した場合に、耐用年数が比較的に長い冷陰極蛍光ランプを使用する照明装置が特許文献１に示されている。ここに記載されている冷陰極蛍光ランプは、両端に電極を備える直線状に形成されている。
【特許文献１】特開平９−１４７８０２号公報
【発明の開示】
【発明が解決しようとする課題】
【０００３】
熱陰極蛍光ランプに限らず冷陰極蛍光ランプであっても、これらを点灯させるためには１つずつ点灯装置が必要である。特許文献１において、点灯装置は、直線状の冷陰極蛍光ランプに対して反射鏡の背面に配置されている。このように冷陰極蛍光ランプと点灯装置とが配置された照明装置は、投光する方向に対して装置全体の嵩が大きくなってしまう。
【０００４】
また、直線状の冷陰極蛍光ランプを用いる場合、冷陰極蛍光ランプは、取り扱う便宜上、一定の長さにそろえられている。照明装置として必要十分な発光面積を得るためには、光拡散板を投光側に配置し、冷陰極蛍光ランプを複数本並べて使用する。冷陰極蛍光ランプを平行に並べて使用する場合、隣り合う冷陰極蛍光ランプどうしの距離を接近させることによって、発光斑が少ない発光面を擬似的に作り出すことができる。
【０００５】
しかしながら、直線状の冷陰極蛍光ランプを同じ線に沿って直列に配置する場合、隣り合う冷陰極蛍光ランプどうしの間でそれぞれの電極が並んで配置されることになる。照明装置において全面を均質に発光させようとした場合、電極が配置されたこの部分は、当然輝度が弱くなるので他の部分よりも暗くなり、光拡散板における発光斑が生じてしまう。光拡散板の発光面における輝度の斑は、意匠的に好まれないため、当該部分に枠や桟を設けて覆い隠し、発光面からはずすことによって、目立たないように工夫する必要がある。
【０００６】
また、均質な発光面を得るためには、輝度に斑がなくなる位置まで、光拡散板を光源である冷陰極蛍光ランプから離すことが考えられる。しかし、光源と光拡散板とを離すと、投光する方向に奥行きが必要であり照明装置の嵩が大きくなってしまう。
【０００７】
そこで、本発明は、照明装置の光源として複数並べて使用する場合に、光拡散板の発光面における輝度を均質にするための照明ユニットを提供する。
【課題を解決するための手段】
【０００８】
本発明に係る照明ユニットは、照明装置の内部に複数並べて配置される照明ユニットであって、冷陰極蛍光ランプとインバータとベースとカバーとを備える。冷陰極蛍光ランプは、折り返された屈曲部をガラス管の中間部に少なくとも１つ有し、このガラス管の端部が一方に揃えられている。インバータは、冷陰極蛍光ランプで囲われる内側に配置される。ベースは、照明装置の内側に固定され、冷陰極蛍光ランプ及びインバータを保持する。カバーは、透明部材で形成され、冷陰極蛍光ランプ及びインバータを覆ってベースに固定される。
【発明の効果】
【０００９】
本発明に係る照明ユニットによれば、中間部で少なくとも１回折り返されて端部が一方にそろえられた冷陰極蛍光ランプを備えている。また、インバータは、冷陰極蛍光ランプに囲われた内側に配置されている。したがって、この照明ユニットを光源として複数並べて配置する場合に、隣り合う照明ユニットどうしの間で、発光しない部分が並ばないように配置することができる。したがって、光拡散板を有する照明装置にこの照明ユニットを組み込むことで、発光面に輝度の斑が生じにくい。複数の照明ユニットを用いることでよりも大きい面積の光拡散板を均質に発光させることができ、意匠的にも優れている。
【００１０】
また、冷陰極蛍光ランプを使用していることによって、照明ユニットの寿命も長く、点灯と消灯が繰り返し行われる条件に対しても耐久性に優れている。したがって、エレベータの乗籠の内部を照らす照明装置に適用することによって、エレベータの照明装置のメンテナンスの周期を長く設定することができるため、エレベータのランニングコストが安くなる。
【発明を実施するための最良の形態】
【００１１】
本発明に係る一実施形態の照明ユニット１０は、図１から図９を参照して説明する。図１に示す照明ユニット１０は、冷陰極蛍光ランプ１１とインバータ１２とベース１３とカバー１４とを備える。冷陰極蛍光ランプ１１は、ガラス管１１０の途中でほぼ直角に２回折り曲げられて矩形に折り返された屈曲部１１１を有し、端部１１２が一方に揃っている。図１に示す冷陰極蛍光ランプ１１において、屈曲部１１１と端部１１２との間の区間のガラス管１１０は、一定の間隔を空けて直線状に平行に延びている。
【００１２】
冷陰極蛍光ランプ１１の電極は、ガラス管１１０の端部１１２に封入されている。端部１１２は、図２に示すように絶縁性および耐熱性に優れたゴム製の端部支持ブロック１１３で覆われている。電極から延びるリード線は、端部支持ブロック１１３の内部を通ってインバータ１２に接続されている。また、図３に示すように冷陰極蛍光ランプ１１は、ガラス管１１０の屈曲部１１１寄りの位置に、耐熱性を有したゴム製の中間支持ブロック１１４が装着されている。端部支持ブロック１１３および中間支持ブロック１１４は、冷陰極蛍光ランプ１１を支持するための弾性支持部材の一例であって、ガラス管１１０を振動や衝撃から保護できるものであればゴム製に限らない。
【００１３】
インバータ１２は、冷陰極蛍光ランプ１１を点灯させる回路基板であって、図１及び図２に示すように、冷陰極蛍光ランプ１１で囲われる内側で端部１１２寄りの位置に配置されている。ベース１３は、冷陰極蛍光ランプ１１およびインバータ１２を保持する。冷陰極蛍光ランプ１１は、図１に示すようにベース１３の外周縁に沿って配置される。ベース１３は、図２示すように端部支持ブロック１１３を装着するための支持脚１３１と、図３に示すように中間支持ブロック１１４を装着するための据付部１３２とを有している。
【００１４】
ベース１３は、図２に示すように冷陰極蛍光ランプ１１に挟まれる内側で支持脚１３１寄りの位置に、インバータ１２を据えるための４つの座部１３３を備える。支持脚１３１に挟まれる２つの座部１３３のうち１つの座部１３３は、穴１３４ａを有しており、インバータ１２の基板の角部に設けられた孔に通されたビスが螺挿される。残りの３つの座部は、インバータ１２の基板の角部に設けられた孔に嵌合する凸部１３４ｂをそれぞれ有している。インバータ１２が配置される範囲のベース１３は、インバータ１２から離れる方向に凹んでいる。
【００１５】
ベース１３は、カバー１４を固定するためにフック１３５と支柱１３６とを備える。フック１３５は、図２に示すように支持脚１３１が設けられた側の角部に設けられている。支柱１３６は、図３に示すように据付部１３２の間に設けられている。また、図２および図３に示されるように、ベース１３は、この照明ユニット１０を所望する部位に取り付けるための固定部１３７を支持脚１３１から据付部１３２までの間に有している。
【００１６】
固定部１３７は、小径部１３７ａと大径部１３７ｂとを有したいわゆるダルマ形の孔である。図４に示すように、小径部１３７ａは、固定されるために使用されるボルト１５の頭が係止される大きさであり、大径部１３７ｂは、ボルト１５の頭が通過する大きさである。小径部１３７ａの向きは、本実施形態において同じ向きにそろえられている。固定部１３７は、孔の形状に沿って冷陰極蛍光ランプ１１が配置される側と反対側に延びる補強を有している。なお、固定部１３７は、ボルト１５以外の締結具によって固定されていてもよい。その場合、固定部１３７の形状は、締結具に合わせて作られる。
【００１７】
カバー１４は、透明部材で形成され、冷陰極蛍光ランプ１１およびインバータ１２をすっぽり覆ってベース１３に固定される。カバー１４の外周部は、図２、図３、図６、図７に示すように、ベース１３の外周部に設けられた段差と嵌りあう。インバータ１２が配置される側には、図２および図５に示すようにフック１３５が嵌り込む係合孔１４１が設けられている。また、カバー１４は、図３および図７に示すように支柱１３６に対応する位置に嵌合部１４２を有している。カバー１４は、ベース１３に対して取り付けられる場合、係合孔１４１をフック１３５に引っ掛けたのち、嵌合部１４２を支柱１３６に合わせ、カバー１４の外から係合孔１４１を通して支柱１３６に螺挿されるビス１６によって、固定される。
【００１８】
また、カバー１４は、リブ１４３，１４４と突起１４５、および挿通穴１４６を有している。図２および図３に示すように、リブ１４３，１４４は、端部支持ブロック１１３および中間支持ブロック１１４に対応するカバー１４の内面に設けられ、冷陰極蛍光ランプ１１のガラス管１１０を横切る方向に延びている。図２に示すようにベース１３とカバー１４とが組み合わされることによって、端部支持ブロック１１３は、支持脚１３１とリブ１４３の間に挟み込まれる。図３に示すようにベース１３とカバー１４とが組み合わされることによって、中間支持ブロック１１４は、図７に示されるように据付部１３２とリブ１４４の間に挟みこまれる。
【００１９】
突起１４５は、支持脚１３１から離れた位置に配置される２つの座部１３３に向かってカバー１４の内面から一体に延びている。図２に示すようにベース１３とカバー１４とが組み合わされることによって、図６に示すように突起１４５は、インバータ１２の角部を座部１３３に押さえ込む。突起１４５の先端には、座部の凸部１３４ｂと嵌合する穴が開いている。
【００２０】
挿通穴１４６は、図１および図４に示すようにベース１３に設けられた固定部１３７に対応して、好ましくは小径部１３７ａの中心と同軸上に、設けられている。挿通穴１４６は、固定部１３７に装着される締結具やその締結具を操作する工具が差し込める程度の大きさおよび形であれば良い。
【００２１】
以上のように構成された照明ユニット１０は、エレベータの乗籠１００の天井１０１に設置される照明装置１に適用される場合を例に、図８及び図９を参照して説明する。照明ユニット１０は、図８に示すように照明装置１の内部に複数並べて配置される。照明装置１は、照明ユニット１０から出射された光を均質にするための光拡散板２を備えている。この照明ユニット１０において、冷陰極蛍光ランプ１１は、屈曲部１１１を有し、端部１１２が一方に揃えられており、ベース１３の外周部に沿って配置されている。言い換えれば、ベース１３の外周部の三辺に沿って冷陰極蛍光ランプ１１が配置されている。つまり、非発光部である端部１１２どうしが隣り合わないように配置することができる。
【００２２】
そして、カバー１４が透明部材で作られているので、冷陰極蛍光ランプ１１から放射される光は、カバー１４に遮断されない。図８に示すように、冷陰極蛍光ランプ１１の屈曲部１１１側をつき合わせて照明ユニット１０を並べることによって、図９に示すように照明ユニット１０どうしの間に対応する部分の光拡散板２にも、屈曲部１１１から十分な光量が供給される。
【００２３】
したがって、複数の照明ユニット１０を内側に複数配置した照明装置１の光拡散板２において、輝度に斑が生じない。また、天井１０１の端まで全体的に均質に発光させることができる。このように、均質な発光面を作り出すためには、この照明ユニット１０を並べて取り付ければよい。照明ユニット１０は、取り扱いに便利な適度な長さにして大量生産することで製造コスト的にも安価に抑えることができる。
【００２４】
さらに、冷陰極蛍光ランプ１１に囲われた内側にインバータ１２が配置されているので、光の照射方向へ照明ユニット１０の厚みを薄くすることができる。また、光拡散板２における輝度の斑が生じにくいので、光源となる冷陰極蛍光ランプ１１と光拡散板２の距離を縮めることもできる。
【００２５】
照明ユニット１０は、ユニット化されており、冷陰極蛍光ランプ１１がカバー１４で覆われた状態である。したがって、メンテナンスなどで照明ユニット１０を交換する場合にも、ガラス管１１０を周辺に当てる心配が無いため、取り扱いが楽である。
【００２６】
なお、本実施形態において、ベース１３にカバー１４を固定する場合、上述の形態に限らない。例えば、ベース１３の外周部とカバー１４の外周部を接着しても良いし、互いに係合する突起や嵌合孔またはフックなどを設けても良い。接着する場合は、接着材を用いても良いし、超音波溶融接合でも良い。係合させる場合、突起や嵌合孔またはフックなどは、ベース１３とカバー１４のどちら側に設けても良いし、別部材であっても良い。
【産業上の利用可能性】
【００２７】
本発明に係る照明ユニットは、エレベータの乗籠の内部を照らす照明装置に限らず、複数の光源を並べて内蔵し光拡散板において斑無く発光させることによって擬似的に面発光をさせる照明装置の光源として使用される。したがって、室内の天井に限らず、壁面や床面、広告パネルなどを全体的に斑無く発光させたい場合にも適用することができる。
【図面の簡単な説明】
【００２８】
【図１】本発明に係る第１の実施形態の照明ユニットを示す斜視図。
【図２】図１に示した照明ユニットのインバータ側の分解斜視図。
【図３】図１に示した照明ユニットの冷陰極蛍光ランプの折返し側の分解斜視図。
【図４】図１中のＦ４−Ｆ４線に沿って照明ユニットの固定部を示す断面図。
【図５】図１に示した照明ユニットのベースとカバーとの係合部の断面図。
【図６】図１中のＦ６−Ｆ６線に沿って示す照明ユニットの断面図。
【図７】図１中のＦ７−Ｆ７線に沿って示す照明ユニットの断面図。
【図８】図１に示した照明ユニットを複数並べて内蔵する照明装置が設置されたエレベータの乗籠の天井を模式的に示す平面図。
【図９】図８中のＦ９−Ｆ９線に沿って模式的に示す照明装置の断面図。
【符号の説明】
【００２９】
１…照明装置、１０…照明ユニット、１１…冷陰極蛍光ランプ、１２…インバータ、１３…ベース、１４…カバー、１５…ボルト（締結具）、１１０…ガラス管、１１１…屈曲部、１１２…端部、１１３…端部支持ブロック（弾性支持部材）、１１４…中間支持ブロック（弾性支持部材）、１３３…座部、１３６…支柱、１３７…固定部、１４２…嵌合部、１４５…突起、１４６…挿通穴。
【図１】
2008204658.tif 000003
【図２】
2008204658.tif 000004
【図３】
2008204658.tif 000005
【図４】
2008204658.tif 000006
【図５】
2008204658.tif 000007
【図６】
2008204658.tif 000008
【図７】
2008204658.tif 000009
【図８】
2008204658.tif 000010
【図９】
2008204658.tif 000011